(57)【要約】【課題】消費電力を抑えることができ、また、光源を長寿命化してランニングコストの低減を図った軽量で薄型タイプの洞道内における誘導灯を提供する。【解決手段】本発明に係る洞道内における誘導は、灯表面に非常時における誘導内容の文字やシンボルを描いた透光性を有する表示パネルと、該表示パネルに内装する薄板状の有機ＥＬ薄膜とを備えている。有機ＥＬ薄膜は、薄膜両端に陽極と陰極をつけた直流デバイスであり、ガラス基盤上に積層構造を採用して、電流密度を高めたことにより直流の低電圧駆動（３〜１２Ｖ）で高輝度発光を得ることができるキャリア注入型有機ＥＬ薄膜を使用する。【選択図】図１
2008165337.tif 000002
【特許請求の範囲】
【請求項１】
表面に非常時における誘導内容の文字やシンボルが描かれている透光性を有する表示パネルと、該表示パネルに内装される薄板状の有機ＥＬ薄膜とを備えたことを特徴とする洞道内における誘導灯。
【請求項２】
有機ＥＬ薄膜は、外部からキャリアとして電子または正孔を注入し、これらが蛍光体中で再結合する際に発光する現象を利用した薄膜である請求項１に記載の洞道内における誘導灯。
【請求項３】
表示パネルは、薄型の矩形パネル状に形成した透光性を有するポリカーボネイト製板材の２枚を、有機ＥＬ薄膜を挿入可能とするスリット部を介して、前後に合致させた状態で形成されている請求項１に記載の洞道内における誘導灯。
【請求項４】
表示パネルは、薄板状の有機ＥＬ薄膜を挿入するための薄型収容部を備え、薄型収容部の開口側に形成されたフランジ部に、薄型収容部内に収容された有機ＥＬ薄膜に接続されるモールドコネクターがゴムパッキンを介して固定されている請求項１に記載の洞道内における誘導灯。
【請求項５】
表示パネルは、上側に開口部を有する請求項４に記載の洞道内における誘導灯。
【請求項６】
表示パネルは、小型バッテリーを内蔵した埋込誘導コイルを用いた透明ガラス製の密封型ケースにより形成されている請求項１に記載の洞道内における誘導灯。
【発明の詳細な説明】
【技術分野】
【０００１】
本発明は、洞道内である、例えば、高速道路のトンネル内や、地下鉄の駅構内、地下街等で火災が発生した時や地震が発生した時等の非常時もしくは停電時において、人を安全な場所に誘導して非難させる際に、避難路を指示して避難経路に誘導するための洞道内における誘導灯に関するものである。
【背景技術】
【０００２】
従来から、火災発生時等の非常時に、洞道内の人に必要な情報を伝達する手段は消防法に準ずる当社社内規定で定められており、この手段として、人を避難経路に誘導する非常口誘導灯が使用されている。
【０００３】
この非常口誘導灯は、図４に示すように、例えば、緑と白の２色を用いて人が避難するマークを表した、例えば、アクリル製等の合成樹脂製によるコ字枠状の筐体１１の内部に、例えば、ＦＬ１０Ｗ等の蛍光灯等の光源１２を設け、充電回路、点灯回路、ＣＯＭ、接地等の回路構成部１３と交流電源１４に接続されている。
【０００４】
また、従来における非常口誘導灯としては、特許文献１に開示されているように、
通常時は誘導灯ユニットが蛍光ランプを点灯させ、非常時には誘導灯ユニットが蛍光ランプを点灯させると共に、点滅灯ユニットがキセノンランプを点滅させるものとし、キセノンランプが点滅する非常時にあっては、リレーの常閉接点が開離して誘導灯ユニットと点滅灯ユニットとの接続を切断することで、キセノンランプを高周波点灯させることによる誘導ノイズが第一の電路、第二の電路を介して誘導灯ユニットに悪影響を与えることがないようにし、また、蛍光ランプを点灯させることによる誘導ノイズが点滅灯ユニットに悪影響を与えることがないようにした避難誘導灯等が存在する。
【０００５】
さらに、特許文献２に開示されているように、表示用の発光体と、該表示用発光体を点灯させるための点灯回路と、該点灯回路に電力を供給するためのバッテリとを備えて誘導灯ユニットを形成し、表面パネルと、非常時等における誘導内容の文字やシンボルが描かれた乳白色のアクリル板の表示プレートと、点検用ユニットと、前記誘導灯ユニットと、これらを接続する基板を箱体内部に有した配線コネクトボックスとを備えてなる非常誘導灯パネル等が存在する。
【特許文献１】特開２０００−２２３２８３号公報
【特許文献２】特開平９−２３１８１８号公報
【発明の開示】
【発明が解決しようとする課題】
【０００６】
しかしながら、従来から使用されている洞道内の非常口誘導灯は、２４時間点灯しているため、頻繁に球切れとなる。例えば、蛍光管１０Ｗの寿命は、約６千時間（８．３ヶ月）という非常に短いものであった。
【０００７】
また、従来の非常口誘導灯は、蛍光管であるため、例えば、蛍光管の取替作業において、当該非常用誘導灯が高い位置に取り付けられているので、蛍光管の取替作業が高所における作業となり、危険を伴っていた。
【０００８】
また、従来のような蛍光管の使用では、消費電力が大きい（新宿支社受持区域内では、１ヶ月当たり２９，８０８円である）ため、維持経費が嵩んでいた。
【０００９】
さらに、消費電力が比較的大きいことから、非常口誘導灯自体が高温となり易く、経年劣化した場合においては、火災になりかねないものとなっていた。
【００１０】
また、特許文献１においては、蛍光ランプとキセノンランプとを併用したものであるため、設置スペースが大きくなると同時に、全体の重量も大きくなる。
【００１１】
しかも、両ランプの交換等のメンテナンスにおいても、かなりの費用と労働力を要する。
【００１２】
さらに、特許文献２においては、表面パネルと、表示プレートと、点検用ユニットと、誘導灯ユニットと、これらを接続する基板を箱体内部に有した配線コネクトボックスとを備えてなるので、特許文献１と同様に、設置スペースが大きくなると同時に、全体の重量も大きくなる。
【００１３】
しかも、両ランプの交換等のメンテナンスにおいても、かなりの費用と労働力を要するという問題点を有していた。
【００１４】
そこで、本発明は如上のような従来存した諸事情に鑑み創出されたもので、消費電力を抑えることができ、また、光源を長寿命化してランニングコストの低減を図った軽量で薄型タイプの洞道内における誘導灯を提供することを目的とする。
【課題を解決するための手段】
【００１５】
本発明に係る洞道内における誘導灯は、表面に非常時における誘導内容の文字やシンボルが描かれている透光性を有する表示パネルと、該表示パネルに内装される薄板状の有機ＥＬ薄膜とを備えたことで、上述した課題を解決した。
【００１６】
また、有機ＥＬ薄膜は、外部からキャリアとして電子または正孔を注入し、これらが蛍光体中で再結合する際に発光する現象を利用した薄膜であることで、同じく上述した課題を解決した。
【００１７】
さらに、表示パネルは、薄型の矩形パネル状に形成した透光性を有するポリカーボネイト製板材の２枚を、有機ＥＬ薄膜を挿入可能とするスリット部を介して、前後に合致させた状態で形成されていることで、同じく上述した課題を解決した。
【００１８】
また、表示パネルは、薄板状の有機ＥＬ薄膜を挿入するための薄型収容部を備え、薄型収容部の開口側に形成されたフランジ部に、薄型収容部内に収容された有機ＥＬ薄膜に接続されるモールドコネクターがゴムパッキンを介して固定されていることで、同じく上述した課題を解決した。
【００１９】
加えて、表示パネルは、上側に開口部を有することで、同じく上述した課題を解決した。
【００２０】
また、表示パネルは、小型バッテリーを内蔵した埋込誘導コイルを用いた透明ガラス製の密封型ケースにより形成されていることで、同じく上述した課題を解決した。
【発明の効果】
【００２１】
本発明に係る洞道内における誘導灯は、表面に非常時における誘導内容の文字やシンボルが描かれている透光性を有する表示パネルと、該表示パネルに内装される薄板状の有機ＥＬ薄膜とを備えたことにより、点灯時における消費電力量を低減することができる。また、有機ＥＬ薄膜を使用することで、光源を長寿命化し、ランニングコストの低減を図ることができる。
【００２２】
例えば、新宿支社受持区域内において、現状では、２円／１０ｈ×２４ｈ×３０日×２７０灯＝２９，８０８円／月であって、年間においておよそ３６０，０００円の費用が必要であった。
【００２３】
しかし、有機ＥＬ薄膜では、その消費電力が、従来の蛍光管の１／３程度であるため、年間においておよそ１２０，０００円の費用で足りることとなり、およそ２４０，０００円程度の費用を削減することができる。
【００２４】
また、本発明に係る洞道内における誘導灯により、誘導灯の発光源の取替費用を削減することができる。すなわち、従来の蛍光管の寿命は、有機ＥＬ薄膜の寿命よりも短いことから、本発明に係る洞道内における誘導灯により、球切れ時の補修費用の低減が見込まれる。
【００２５】
例えば、蛍光管の取替費用としては、作業員の手の届く箇所においては、点検時に合わせて蛍光管を取替えるのであるが、材料費のみでも５００円程度かかる。また、作業員の手が届かない箇所においては、個別設計(足場等)にて蛍光管を取替えるのであるが、これを実施すると、約３０千円〜７０千円程度の費用がかかる。本発明に係る洞道内は、有機ＥＬ薄膜を使用することにより、これらの費用を大幅に削減することができる。
【００２６】
また、本発明に係る洞道内における誘導灯により、高所作業頻度を低減することができる。すなわち、蛍光管の寿命よりも有機ＥＬ薄膜の寿命が長いため、球切れ時の取替作業頻度（高所作業）が軽減できるのである。
【００２７】
例えば、蛍光管１０Wの寿命は、約６，０００時間＝８．３ヶ月であり、取替頻度が８．３ヶ月に１回行う必要があるのに対し、有機ＥＬ薄膜の寿命は、約７０．０００時間＝約８年であるため、取替頻度は８年に１回行うだけで済むのである。また、輝度を調節すれば（電圧を下げれば）、有機ＥＬ薄膜の寿命をさらに延ばすことが可能である（１０年以上も可能）。
【００２８】
さらに、本発明に用いる有機ＥＬ薄膜は、無公害である。すなわち、従来の蛍光管に比べて水銀等を含まないため、紫外線等を放出しないのである。また、近い将来において、水銀含有製品の利用が規制された場合であってても、これに対応可能である。加えて、全体の構造が簡単であるため、衝撃を受けた際であっても、粉末や液体等が流出する危険性が無い。また、脱水銀により、企業イメージのアップを期待できる。
【００２９】
この他、本発明に用いる有機ＥＬ薄膜は、極薄・軽量である。すなわち、薄膜本体の厚さが２．２ｍｍ、重量が約１００ｇ（４インチ相当）と軽量なため、その取り外しや運搬が容易となり、例えば、工事中の臨時非常口の表示灯として利用が可能である。これに加えて、電源装置の小型化も同時に図れる。また、パネル自体が薄いため、通路部（床面）に設置可能となり、避難時に有効なものとなる。
【００３０】
また、本発明に用いる有機ＥＬ薄膜は、熱放散が蛍光管と比較し少ないため、トンネル内の温度上昇を抑えることができる。
【００３１】
さらに、表示パネルを替えれば、別の案内表示にも利用することができる。例えば、有機ＥＬ薄膜をバックライトとし、表示パネルを替えるだけで様々な表示板として転用が可能である。
【００３２】
また、本発明に用いる有機ＥＬ薄膜は、自由な形（例えば円形、矩形、三角形等）に出来るため、例えば、誘導表示方法の新たな提案として、矢印型等に成形することも可能である。さらに、どのような場所においても有機ＥＬ薄膜を取り付けることができ、取付箇所が制限されることが無い。
【００３３】
加えて、本発明に用いる有機ＥＬ薄膜は、輝度ムラ（影等）が無い。すなわち、有機ＥＬ薄膜自体は、面発光であるため、輝度ムラ（影等）がなく、鮮明な誘導表示が可能である。
【００３４】
また、本発明に用いる有機ＥＬ薄膜は、大型化が可能である。例えば、誘導表示方法の新たな提案として、ドアサイズ等に成形することも可能である。
【００３５】
この他、本発明に用いる有機ＥＬ薄膜は、洞道用の照明器具として利用することができる。すなわち、誘導灯と照明器具との両方の機能を有することにより、照明灯数を削減できる。例えば、照明用として利用された場合、洞道躯体の縮小化が可能となる。しかも、狭隘な設備（キューピクル内等）への照明設備として利用することができる。
【００３６】
また、誘導灯以外への利用も可能である。例えば、昇降設備（手すり等）への組込により安全度が向上する。あるいは、有機ＥＬ薄膜を縮小して油槽油面計等のように成形することで、懐中電灯で照らさなければ点検出来ない様な設備へ利用することができる。
【００３７】
さらに、有機ＥＬ薄膜を夜間用安全チョッキへ組込んで利用したり、道路交通標識へ利用することができる。また、有機ＥＬ薄膜を夜間工事用の各種表示板へ組込んで利用したり、道路用カラーコーンへ組込んで利用することができる。あるいは、有機ＥＬ薄膜を各種展示物へのライトアップ（床面から）用として利用したり、謄写版として利用することができる。また、掃除機の先端ノズルへの適用（暗い箇所での掃除用）も可能である。
【００３８】
加えて、プレゼント等の光るカード等として有機ＥＬ薄膜を利用したり、光る絵本として利用することができる。また、有機ＥＬ薄膜を自転車の反射板として利用したり、壁掛け用時計のバックライトとして利用することができる。さらに、有機ＥＬ薄膜をキャンプ用テント内照明として利用（テントへ取付けそのまま梱包）したり、街路照明（電柱・ビル壁等への取付による街路灯）等として利用することができる。また、有機ＥＬ薄膜を階段墜落防止用照明（階段段差部に取付）として利用したり、風呂タブ（風呂タブの全面輝きによる癒しの空間の創造）に使用することもできる。
【００３９】
この他、有機ＥＬ薄膜は、両端に陽極と陰極をつけた直流デバイスである。薄膜は積層構造であり、電流密度を高めたことにより直流の低電圧駆動（３〜１２Ｖ）で高輝度発光を得ることが出来るため、点灯して明るさを維持する時間が、約６万時間〜１０万時間（約７年〜１１年）程度となり、光源の長寿命化を実現している。そして、輝度を調節すれば（電圧を下げれば）、有機ＥＬ薄膜の寿命をさらに延ばすことが可能である（１０年以上も可能）。
【００４０】
また、光源の寿命内においては、点灯状態と消灯状態を適宜選択して使用することもできる。
【００４１】
さらに、有機ＥＬ薄膜は、使用電源が約３Ｗを要するのみで連続点灯が可能となる。
【００４２】
また、有機ＥＬ薄膜自体の重量は、約１００ｇ（４インチ相当）と軽量であり、しかも、薄型サイズで場所を取らないため、高所における取付作業が非常に簡単である。
【００４３】
加えて、表示パネルは、薄型矩形パネル状に形成した透光性を有するポリカーボネイト製板材の２枚を、有機ＥＬ薄膜を挿入可能とするスリット部を介して、前後に合致させた状態で形成されているので、表示パネルへの有機ＥＬ薄膜の組付けと、その交換が非常に簡単である。
【００４４】
また、表示パネルは、薄板状の有機ＥＬ薄膜を挿入するための薄型収容部を備え、薄型収容部の開口側に形成されたフランジ部に、薄型収容部内に収容された有機ＥＬ薄膜に接続されるモールドコネクターがゴムパッキンを介して固定されているので、表示パネルの防水性を確実に保持することができる。
【００４５】
この他、表示パネルは、上側に開口部を有するので、有機ＥＬ薄膜の出し入れが容易である。
【００４６】
また、表示パネルは、小型バッテリーを内蔵した埋込誘導コイルを用いた透明ガラス製の密封型ケースにより形成されている点においても、表示パネルの防水性を確実に保持することができる。
【発明を実施するための最良の形態】
【００４７】
以下に、本発明を実施するための最良の形態を、図面を参照して説明する。
【００４８】
本発明に係る洞道内における誘導灯１は、図１に示すように、透光性を有する薄型の矩形パネル状の表示パネル２と、該表示パネル２に内装される有機ＥＬ薄膜３とから概ね構成されている。この有機ＥＬ薄膜３は、キャリア注入型有機ＥＬ薄膜を意味している。
【００４９】
表示パネル２は、例えば、横幅員が約４００ｍｍ、縦幅員が約１５０ｍｍ程度の薄型の矩形パネル状に形成した透光性を有するポリカーボネイト製板材の２枚を、スリット部４を介して前後に合致させた状態で形成されている。
【００５０】
この前後の表示パネル２間のスリット部４に、図１に示すように、有機ＥＬ薄膜３が下側から挿入される。尚、有機ＥＬ薄膜３の挿入の方向は、表示パネル２の上側から、または、横側からのいずれであっても差し支えない。
【００５１】
また、前後の表示パネル２の周縁部分同士を、不図示の締結部材によって固定している。
【００５２】
そして、表示パネル２の表面には、非常時等における誘導内容の文字やシンボル等が各色の背景をもって描かれている。例えば、図１に示すように、緑と白の２色によって人が避難するマーク等が描かれている。
【００５３】
このように形成された表示パネル２は、避難経路の天井や、非常ドアの開口部における上壁面側等に、不図示の取付治具を介して取り付けられるものである。
【００５４】
そして、この有機ＥＬ薄膜３の透明電極には、インバータ５が接続され、該インバータ５には既設の非常用バッテリー６が接続されている。例えば、１００Ｖの商用交流電源をインバータ５に内蔵されたトランス７で降圧してからダイオードブリッジ等により直流に整流して、透明電極に印加されることで、有機ＥＬ薄膜３が発光するものである。
【００５５】
この有機ＥＬ薄膜３の寿命は、約６万時間〜１０万時間（約７年〜１１年）程度であり、自由な形に製作して使用することができる。
【００５６】
特に、有機ＥＬ薄膜３は、使用電源が約３Ｗを要するのみで連続点灯が可能であるが、停電時においてだけ、非常用バッテリー６の切替によって点灯できるようにしている。
【００５７】
また、有機ＥＬ薄膜３の重量は、約１００ｇ（４インチ相当）で軽量であるため、高所における取付作業が非常に簡単である。
【００５８】
次に、以上のように構成された洞道内における誘導灯１について、使用・組立の一例を説明する。
【００５９】
先ず、図１に示すように、表示パネル２間のスリット部４に、有機ＥＬ薄膜３を挿入して表示パネル２間に配置する。
【００６０】
この状態で、前後の表示パネル２の周縁部分同士を、不図示の締結部材によって固定する。
【００６１】
この表示パネル２を、避難経路の天井や、非常ドアの開口部における上壁面側等に、不図示の取付治具を介して取り付ける。
【００６２】
そして、有機ＥＬ薄膜３の透明電極にインバータ５が接続され、該インバータ５に既設の非常用バッテリー６が接続される。これらのインバータ５、非常用バッテリー６のそれぞれは、ケーブルを介して、避難経路や、非常ドアの近傍の所定位置に配置して固定される。
【００６３】
有機ＥＬ薄膜３は、１００Ｖの商用交流電源によって常時点灯状態とされる。
【００６４】
あるいは、災害発生時における停電の際に、非常用バッテリー６の切替によって有機ＥＬ薄膜３が作動する。
【００６５】
このとき、非常用バッテリー６より直接透明電極に印加されることで、有機ＥＬ薄膜３の全面が発光する。
【００６６】
これによって、表示パネル２の全体が高輝度な点灯状態となり、人を安全な場所に非難誘導するための避難路を指示して、避難経路に誘導させるのである。
【００６７】
一方、図２（ａ）（ｂ）（ｃ）には、本発明に係る洞道内における誘導灯１の防水方式による具体的な構成が示されている。
【００６８】
この誘導灯１は、前後が透光面となった、例えば、ポリカーボネイト製の薄型矩形パネル状の表示パネル２の内部に、有機ＥＬ薄膜３を挿入するためのスリット状の薄型収容部１１を備えている。また、この表示パネル２は、上部に開口部を有している。
【００６９】
そして、薄型収容部１１の開口側には、前後左右に幅広となるフランジ部１２を形成してあり、当該フランジ部１２の幅員と同じ矩形板状のモールドコネクター１３が、ループ状のゴムパッキン１４を介して載せられている。このモールドコネクター１３は、薄型収容部１１内に収容された有機ＥＬ薄膜３の透明電極３ｃに接続されている。また、モールドコネクター１３の上側をカバー板１５で押さえ付けてから、フランジ部１２の下側からモールドコネクター１３を介して、カバー板１５に止めネジ１６で固定されるようにしている。こうして、薄型収容部１１は、ゴムパッキン１４を介してのモールドコネクター１３による閉塞によって、完全防水が保障されている。
【００７０】
また、図３（ａ）（ｂ）には、本発明に係る洞道内における誘導灯１の他の防水方式による具体的な構成が示されている。
【００７１】
すなわち、表示パネル２は、断面略Ｔ字形状を呈する透明ガラス製の密封型ケースとなっており、該表示パネル２内に有機ＥＬ薄膜３が密封状に封じ込められている。そして、外気等と完全遮断（完全防水）されているため、輝度を調節すれば（電圧を下げれば）、有機ＥＬ薄膜３の寿命を延ばすことが可能である（１０年以上も可能）。
【００７２】
そして、表示パネル２の内部上側には、９Ｖの小型バッテリー１７が内蔵され、この小型バッテリー１７に隣接して埋込誘導コイル１８が付設されている。このように、密封型ケース状の表示パネル２内に小型バッテリー１７が内蔵されているため、従来使用の外付け大型バッテリーが省略可能となり、これによってコードレス化されることでその持ち運びも容易となる。
【産業上の利用可能性】
【００７３】
本発明に係る洞道内における誘導灯は、高速道路のトンネル内や、地下鉄の駅構内、地下街以外の、例えば、オフィスビルや公共施設等の場所における火災発生時や地震発生時等の非常時もしくは停電時において、人を安全な場所に非難誘導する際に避難路を指示して避難経路に誘導するための誘導灯として、幅広く利用することができる。
【図面の簡単な説明】
【００７４】
【図１】表示パネルへの有機ＥＬ薄膜の組み付け状態を示す斜視図である。
【図２】誘導灯の他の具体的な構成を示すもので、（ａ）は分解斜視図、（ｂ）は正面図、（ｃ）は側面図である。
【図３】誘導灯の他の具体的な構成を示すもので、（ａ）は正面図、（ｂ）は側面図である。
【図４】従来例における非常口誘導灯の構成を示す斜視図である。
【符号の説明】
【００７５】
１…誘導灯
２…表示パネル
３…有機ＥＬ薄膜
４…スリット部
５…インバータ
６…非常用バッテリー
７…トランス
１１…薄型収容部
１２…フランジ部
１３…モールドコネクター
１４…ゴムパッキン
１５…カバー板
１６…止めネジ
１７…小型バッテリー
１８…埋込誘導コイル
【図１】
2008165337.tif 000003
【図２】
2008165337.tif 000004
【図３】
2008165337.tif 000005
【図４】
2008165337.tif 000006